(57)【要約】【課題】車両へのドアの取り付けを容易に行うことのできる車両のドア取り付け構造を提供する。【解決手段】ドア２０は、合成樹脂材料からなるドアパネルと、ドアパネルに固定されて車両１０の前後方向に延びるサイドビーム２２とを有して、車体の側部に設けられたドア開口を開閉する。ドアヒンジ４０の車体側可動部４１は車体に一体であり、ドアヒンジ４０のドア側可動部４３は、前後方向に延びる連結アーム３０を介してドア２０に固定される。連結アーム３０は、一端がサイドビーム２２の前後方向における中間部分に固定されるとともに、他端がドアヒンジ４０のドア側可動部４３と一体である。【選択図】図４
2018103683.tif 000002
【特許請求の範囲】
【請求項１】
合成樹脂材料からなるドアパネル、および前記ドアパネルに固定されて車両の前後方向に延びるサイドビームを有して、車体の側部に設けられたドア開口を開閉するドアと、
前記車体に一体の車体側可動部、および前記ドアに一体のドア側可動部を有するヒンジと、
前記前後方向に延びて、一端が前記サイドビームの前記前後方向における中間部分に固定されるとともに他端が前記ヒンジの前記ドア側可動部に一体の態様で、前記サイドビームおよび前記ドア側可動部の間に介設されるアームと
を備える車両のドア取り付け構造。
【請求項２】
請求項１に記載の車両のドア取り付け構造において、
前記車両の側方からの荷重に対する前記アームの剛性は、同荷重に対する前記サイドビームの剛性よりも低い
ことを特徴とする車両のドア取り付け構造。
【請求項３】
請求項１または２に記載の車両のドア取り付け構造において、
前記ヒンジは、前記ドア開口よりも前記車両の前方側に配置されている
ことを特徴とする車両のドア取り付け構造。
【請求項４】
請求項１〜３のいずれか１項に記載の車両のドア取り付け構造において、
前記アームは、前記前後方向に延びる複数本のパイプを有する
ことを特徴とする車両のドア取り付け構造。
【請求項５】
請求項１〜４のいずれか１項に記載の車両のドア取り付け構造において、
前記車両は超小型モビリティである
ことを特徴とする車両のドア取り付け構造。
【発明の詳細な説明】
【技術分野】
【０００１】
本発明は、車両のドア取り付け構造に関するものである。
【背景技術】
【０００２】
通常、車両のドアはヒンジを介して車体に取り付けられており、同ヒンジによって開閉可能になっている（特許文献１参照）。特許文献１に記載のドア取り付け構造では、ドアの前方端部がヒンジのドア側可動部をなす一方、ヒンジの車体側可動部が車体に固定される。
【先行技術文献】
【特許文献】
【０００３】
【特許文献１】特開平５−１６２５４０号公報
【発明の概要】
【発明が解決しようとする課題】
【０００４】
車室内におけるドア開口の周縁（例えば運転席のドア開口の前方スペース）は、様々な部材が配置されており、ドア取り付けのための十分なスペースを確保しにくい。特許文献１のドア取り付け構造では、そうしたドア開口の周縁にヒンジ（詳しくは、その車体側可動部）が配置されている。そのため、ドアを取り付けるべく同ドアと一体のヒンジを車体に固定する際には、その固定のための作業スペースを十分に確保するためにドアを開き操作した状態で、ヒンジを固定する作業（固定作業）が行われる。
【０００５】
ここで、ドアの取り付けに際しては、通常、ドアの閉じ具合を調整する作業（調整作業）も行われる。当然のことながら、ドアの閉じ具合の善し悪しは、同ドアを閉じた状態でないと分からない。そのため、固定作業がドアを開き操作した状態で行われる場合には、ドアの取り付けにかかる作業（固定作業および調整作業）が以下のような手順で行われる。
【０００６】
先ず、ドアを開いた状態で固定作業が行われる。その後、ドアを一旦閉じて同ドアの閉じ具合を確認し、その上でドアを再度開いてヒンジの固定位置を調整する。その後、ドアを再度閉じて同ドアの閉じ具合を再度確認する。そして、こうしたヒンジの固定位置を調整する作業とドアの閉じ具合を確認する作業とは、ドアの閉じ具合が良好になるまで繰り返し行われる。このように特許文献１のドア取り付け構造では、ドアの取り付けにかかる作業が煩雑なものになってしまう。
【０００７】
本発明は、そうした実情に鑑みてなされたものであり、その目的は、車両へのドアの取り付けを容易に行うことのできる車両のドア取り付け構造を提供することにある。
【課題を解決するための手段】
【０００８】
上記課題を解決するための車両のドア取り付け構造は、合成樹脂材料からなるドアパネル、および前記ドアパネルに固定されて車両の前後方向に延びるサイドビームを有して、車体の側部に設けられたドア開口を開閉するドアと、前記車体に一体の車体側可動部、および前記ドアに一体のドア側可動部を有するヒンジと、前記前後方向に延びて、一端が前記サイドビームの前記前後方向における中間部分に固定されるとともに他端が前記ヒンジの前記ドア側可動部に一体の態様で、前記サイドビームおよび前記ドア側可動部の間に介設されるアームとを備える。
【０００９】
上記構造によれば、ヒンジとアームとを車体に一体に設けた状態で同車体へのドアの取り付けを行うことにより、その取り付けにかかる作業（具体的には、アームの一端をサイドビームの中間部分に固定する作業）を、ドア開口の内方部分、すなわち車室内における作業スペースの確保が比較的容易になる部分において行うことができる。これにより、ドアを閉じた状態で、同ドアをアームの一端に固定する固定作業を行うことができるようになるため、固定作業を、ドアの閉じ具合を確認しつつ行うことができるようになる。
【００１０】
このように上記構造によれば、ドアを閉じた状態のままで固定作業とドアの閉じ具合を調整する作業（調整作業）とを同時に行うことができるため、固定作業や調整作業がドアを開閉しつつ繰り返し行われる構造と比較して、車両へのドアの取り付けを容易に行うことができるようになる。
【００１１】
上記ドア取り付け構造において、前記車両の側方からの荷重に対する前記アームの剛性は、同荷重に対する前記サイドビームの剛性よりも低いことが好ましい。
上記構造によれば、車両の側面衝突に際して、ドア（サイドビーム）よりもアームが変形し易い構造になる。そのため、車両の側面衝突時に、ドア（詳しくは、サイドビーム）の形状変化を抑えつつ同ドアを車内側にずらすように、ドアおよびその周辺部分を変形させることが可能になる。
【００１２】
上記ドア取り付け構造において、前記ヒンジは、前記ドア開口よりも前記車両の前方側に配置されている。
上記構造によれば、ドア開口の内外がヒンジによって遮られることがないため、ドア開口の開口部分を有効に利用することができる。
【００１３】
上記ドア取り付け構造において、前記アームは、前記前後方向に延びる複数本のパイプを有する。
上記構造によれば、アームの主要部分を、パイプに曲げ加工を施すといった安価な手法で形成することができる。
【００１４】
上記ドア取り付け構造において、前記車両は超小型モビリティである。
超小型モビリティは、車内スペースが狭いために、車室内においてドア取り付けのための十分なスペースを確保することが困難である。上記構造によれば、そうした超小型モビリティにドアを取り付ける作業を容易に行うことができる。
【発明の効果】
【００１５】
本発明によれば、車両へのドアの取り付けを容易に行うことができる。
【図面の簡単な説明】
【００１６】
【図１】一実施形態のドア取り付け構造が適用される車両の斜視図。
【図２】同車両の側面図。
【図３】同車両のドア、連結アーム、およびその周辺を車室内から見た斜視図。
【図４】同車両のサイドビーム、連結アーム、およびその周辺の分解斜視図。
【図５】同車両のドアおよび連結アームの（ａ）側面衝突前の平面図、（ｂ）は側面衝突後の平面図。
【発明を実施するための形態】
【００１７】
以下、車両のドア取り付け構造の一実施形態について説明する。
図１に示すように、本実施形態のドア取り付け構造が適用される車両１０は、超小型モビリティの一種であり、一人乗りの電気自動車である。車体１１の右側部には乗員の乗降に利用されるドア開口１２が設けられている。このドア開口１２にはドア２０が設けられている。
【００１８】
図２に示すように、ドア２０は合成樹脂材料からなる板状のドアパネル２１を有している。このドアパネル２１は、ドア２０の車外側の部分を構成している。また、ドア２０は補強のためのサイドビーム２２を有している。サイドビーム２２は、間隔を置いて延びる２本の金属管（パイプ２３）からなり、車両１０の前後方向（図２の左右方向）に延びる態様でドアパネル２１の車内側の面に固定されている。
【００１９】
図３および図４に示すように、サイドビーム２２の前後方向における両端には２本のパイプ２３同士を連結する連結部２４，２５が設けられている。それら連結部２４，２５のうちの車両１０後方側（図３の右側）の連結部２５は、ドア２０の開閉操作に際して動作するロック機構（図示略）を内蔵している。
【００２０】
また、サイドビーム２２の前後方向における中間部分には、２本のパイプ２３を連結する連結部が２つ設けられている。それら連結部の一方（ドアノブ固定部２６）にはドア２０の開閉に際して乗員によって操作されるドアハンドル２７（図３）が取り付けられており、他方（アーム固定部２８）には連結アーム３０を介してドアヒンジ４０が連結されている。ドア２０は、このドアヒンジ４０を介して回動することによって、車両１０のドア開口１２（図２参照）を開閉するようになっている。
【００２１】
以下、ドア２０の取り付け構造について詳しく説明する。
本実施形態の車両１０はパイプフレーム構造である。車両１０のフレーム１３には、ドア開口１２（図３）よりも前方側の位置に、略平板状のブラケット１４が取り付けられている。このブラケット１４は、車両１０の上下方向（図３の上下方向）および前後方向（図３の左右方向）に延びる態様で、上下方向における両端部がボルト締結によってフレーム１３に固定されている。
【００２２】
前記ドアヒンジ４０は２つ設けられている。それらドアヒンジ４０は、ドア開口１２よりも前方側の位置に、ドア開口１２における前方側の内縁に沿って上下方向に並ぶように配置されている。ドアヒンジ４０の一方の可動部（車体側可動部４１）は、上記ブラケット１４における車外側の面にボルト締結によって固定されて、車体１１およびフレーム１３と一体になっている。また、ドアヒンジ４０の他方の可動部（ドア側可動部４３）は、連結アーム３０を介して、ドア２０のアーム固定部２８に固定されている。
【００２３】
連結アーム３０は、前方側に配置されて上下方向に延びるプレート部３１と後方側に配置されて前後方向に延びるアーム部３５とを有している。それらプレート部３１およびアーム部３５は一体形成されている。
【００２４】
プレート部３１は、ドア２０の閉じ操作状態において、上下方向および車幅方向で延びる略平板状の固定壁部３２と、固定壁部３２の車室内側の端部で上下方向に延びる側壁部３３とを有している。プレート部３１は、これら固定壁部３２および側壁部３３が一体に形成されてなる。プレート部３１の固定壁部３２における前方側の面には、各ドアヒンジ４０のドア側可動部４３がボルト締結によって固定されている。本実施形態では、各ドアヒンジ４０が、ブラケット１４よりも車外側の位置であって、且つ連結アーム３０のプレート部３１よりも前方側の位置、すなわちブラケット１４や連結アーム３０によって隠されて車内側から見えにくい位置に配置されている。
【００２５】
アーム部３５は間隔を置いて延びる２本の金属管（パイプ３６）からなる。これらパイプ３６の肉厚は、サイドビーム２２のパイプ２３の肉厚よりも薄くなっている。アーム部３５の各パイプ３６の一方の端部はプレート部３１の側壁部３３と一体になっており、他方の端部には２本のパイプ３６を連結する板状のドア固定部３７が一体に設けられている。そして、このドア固定部３７がドア２０のアーム固定部２８にボルト締結によって固定されている。
【００２６】
アーム部３５の前方側（図３の左側）の部分（前方部分３５Ｆ）は、車内側（図３における紙面手前側）に突出する態様で湾曲している。これにより、ドア２０が開かれる際に、連結アーム３０がドア開口１２の内縁に接触することのない構造になっている。また、アーム部３５の前方部分３５Ｆには、２本のパイプ３６を繋ぐ形状のワイヤ固定部３８が一体に設けられている。このワイヤ固定部３８はワイヤ３９（図３）によってフレーム１３に繋がれている。ワイヤ３９は、ドア２０の閉操作時には緩んだ状態になる一方で、同ドア２０の開操作時には張った状態になる。このワイヤ３９により、ドア２０の開き方向における最大回動位置が規制されるようになっている。
【００２７】
アーム部３５の車両後方側（図３の右側）の部分（後方部分３５Ｒ）はドア２０（サイドビーム２２）に沿って直線状に延びており、同後方部分３５Ｒには上記ドア固定部３７が一体に設けられている。
【００２８】
以下、上述したドア２０の取り付け構造による作用効果について説明する。
本実施形態のドア２０は、合成樹脂材料からなるドアパネル２１に補強用のサイドビーム２２が設けられた構造になっている。そして、このドア２０を車両１０に取り付ける際には、サイドビーム２２に連結アーム３０の一端が固定される。
【００２９】
本実施形態では、前後方向に延びるアーム部３５の後方部分３５Ｒ（具体的には、アーム固定部２８）がサイドビーム２２の前後方向における中間部分（具体的には、ドア固定部３７）に固定される。そのため、ブラケット１４、ドアヒンジ４０、および連結アーム３０を車体１１（詳しくは、フレーム１３）に取り付けた後に車両１０へのドア２０の取り付けを行うことにより、その取り付けにかかる作業（具体的には、連結アーム３０のドア固定部３７をサイドビーム２２のアーム固定部２８に固定する作業）を、ドア開口１２（図３）の内方部分、すなわちドア開口１２の内縁部分と比較して車室内における作業スペースの確保が比較的容易になる部分において行うことが可能になる。
【００３０】
これにより、ドア２０を閉じた状態で同ドア２０を連結アーム３０に固定する固定作業を行うことができるため、その固定作業を、ドア２０の閉じ具合を確認しつつ行うことができるようになる。したがって、ドア２０を閉じた状態のままで、固定作業とドア２０の閉じ具合を調整する作業（調整作業）とを同時に行うことができるようになるため、ドア２０を開閉しつつ固定作業や調整作業を繰り返し行う必要のある構造と比較して、車両１０へのドア２０の取り付けを容易に行うことができるようになる。
【００３１】
また、連結アーム３０がドア２０の端部に固定される場合と比較して、連結アーム３０の固定位置をドア２０の重心に近い位置にすることができる。これにより、ドア２０の取り付け作業に際して同ドア２０を支持し易くなるため、その取り付けにかかる作業を容易に行うことができる。しかも、連結アーム３０にドア２０を固定した状態でその固定部分に作用する応力を小さくすることができるため、ドア２０の固定部分の耐久性能を高くすることもできる。
【００３２】
さらに本実施形態では、アーム部３５のパイプ２３の肉厚がサイドビーム２２のパイプ２３の肉厚よりも薄くなっている。これにより、車両１０の側方からの荷重に対する連結アーム３０の剛性が同荷重に対するサイドビーム２２の剛性よりも低くなるため、車両１０の側面衝突時において、連結アーム３０のアーム部３５がドア２０のサイドビーム２２よりも変形し易い構造になる。
【００３３】
図５（ａ）は側面衝突前のドア２０および連結アーム３０の平面構造を概略的に示しており、図５（ｂ）は側面衝突後のドア２０および連結アーム３０の平面構造の一例を概略的に示している。図５（ａ）および図５（ｂ）に示すように、本実施形態では、車両１０の側面衝突に際して同車両１０の側方に作用する荷重（図５（ａ）中に白抜きの矢印で示す）により、連結アーム３０のアーム部３５が変形する一方で、ドア２０のサイドビーム２２がさほど変形しない態様で、ドア２０およびその周辺部分を変形させることが可能になる。これにより、ドア２０の形状変化を抑えつつ同ドア２０を車内側（図５（ｂ）中に黒塗りの矢印で示す方向）にずらすように、ドア２０およびその周辺部分を変形させることが可能になる。
【００３４】
本実施形態によれば、以下に記載する効果が得られる。
（１）前後方向に延びるアーム部３５の後方部分３５Ｒをサイドビーム２２の前後方向における中間部分（ドア固定部３７）に固定するようにしたため、車両１０へのドア２０の取り付けを容易に行うことができるようになる。
【００３５】
（２）車両１０の側方からの荷重に対する連結アーム３０の剛性を同荷重に対するサイドビーム２２の剛性よりも低くした。そのため、ドア２０の形状変化を抑えつつ同ドア２０を車内側にずらすように、ドア２０およびその周辺部分を変形させることが可能になる。
【００３６】
（３）ドアヒンジ４０を、ドア開口１２よりも前方側に配置した。これにより、ドア開口１２の内外がドアヒンジ４０によって遮られることがなくなるため、ドア開口１２の開口部分を有効に利用することができる。また、ドアヒンジ４０を車室内から見えにくい位置に配置することができる。
【００３７】
（４）連結アーム３０のアーム部３５を前後方向に延びる２本のパイプ２３によって構成した。そのため、連結アーム３０の主要部分を、パイプ材に曲げ加工を施すといった安価な手法で形成することができる。
【００３８】
（５）超小型モビリティは、車内スペースが狭いために、車室内においてドア２０の取り付けのための十分なスペースを確保することが困難である。本実施形態によれば、そうした超小型モビリティにドア２０を取り付ける作業を容易に行うことができる。
【００３９】
＜変形例＞
なお、上記実施形態は、以下のように変更して実施してもよい。
・ドア２０の重心にドア固定部３７を配設するようにしてもよい。こうした構成によれば、連結アーム３０のアーム固定部２８によってドア２０のドア固定部３７をバランス良く支持させた状態で、ドア固定部３７をボルト締結によってアーム固定部２８に固定する作業を行うことができる。また、連結アーム３０にドア２０を固定した状態でその固定部分に作用する応力を好適に小さくすることができる。
【００４０】
・連結アーム３０のパイプ３６に肉厚が部分的に薄い部分（脆弱部）を設けるようにしてもよい。こうした構成によれば、車両１０の側面衝突時に、連結アーム３０の脆弱部を他の部分と比較して変形し易い構造にすることができるため、連結アーム３０を所望の態様で変形させることができるようになる。この場合には、上記パイプ３６における脆弱部以外の部分の肉厚をサイドビーム２２のパイプ２３の肉厚よりも厚くしたり、それら肉厚を同一にしたりしてもよい。
【００４１】
・車両１０の側方からの荷重に対する連結アーム３０の剛性を同荷重に対するサイドビーム２２の剛性よりも高くしたり、それら剛性を等しくしたりしてもよい。
・ドアヒンジ４０の一部をドア開口１２の内方に配置してもよい。
【００４２】
・サイドビーム２２を、間隔を置いて延びる３本以上のパイプによって構成したり、１本のパイプのみによって構成したりしてもよい。その他、サイドビーム２２を、曲げ加工した板材によって構成すること等も可能である。
【００４３】
・連結アーム３０のアーム部３５を、間隔を置いて延びる３本以上のパイプによって構成したり、１本のパイプのみによって構成したりしてもよい。その他、連結アーム３０のアーム部３５を、曲げ加工した板材によって構成すること等も可能である。
【００４４】
・ドアヒンジ４０のドア側可動部４３と連結アーム３０とを一体に形成してもよい。
・上記実施形態の取り付け構造は、ドア開口を開閉するドアを有する車両であれば、二人乗りの超小型モビリティや、原動機付き自転車、小型自動車などの自動車などにも適用することができる。
【符号の説明】
【００４５】
１０…車両、１１…車体、１２…ドア開口、１３…フレーム、１４…ブラケット、２０…ドア、２１…ドアパネル、２２…サイドビーム、２３…パイプ、２４，２５…連結部、２６…ドアノブ固定部、２７…ドアハンドル、２８…アーム固定部、３０…連結アーム、３１…プレート部、３２…固定壁部、３３…側壁部、３５…アーム部、３５Ｆ…前方部分、３５Ｒ…後方部分、３６…パイプ、３７…ドア固定部、３８…ワイヤ固定部、３９…ワイヤ、４０…ドアヒンジ、４１…車体側可動部、４３…ドア側可動部。
【図１】
2018103683.tif 000003
【図２】
2018103683.tif 000004
【図３】
2018103683.tif 000005
【図４】
2018103683.tif 000006
【図５】
2018103683.tif 000007
【手続補正書】
【提出日】平成29年10月18日(2017.10.18)
【手続補正１】
【補正対象書類名】特許請求の範囲
【補正対象項目名】請求項１
【補正方法】変更
【補正の内容】
【請求項１】
合成樹脂材料からなるドアパネル、および前記ドアパネルに固定されて車両の前後方向に延びるサイドビームを有して、車体の側部に設けられたドア開口を開閉するドアと、
前記車体に一体の車体側固定部、および前記ドアに一体のドア側可動部を有するヒンジと、
前記前後方向に延びて、一端が前記サイドビームの前記前後方向における中間部分に固定されるとともに他端が前記ヒンジの前記ドア側可動部に一体の態様で、前記サイドビームおよび前記ドア側可動部の間に介設されるアームとを備える車両のドア取り付け構造。
【手続補正２】
【補正対象書類名】明細書
【補正対象項目名】０００２
【補正方法】変更
【補正の内容】
【０００２】
通常、車両のドアはヒンジを介して車体に取り付けられており、同ヒンジによって開閉可能になっている（特許文献１参照）。特許文献１に記載のドア取り付け構造では、ドアの前方端部がヒンジのドア側可動部をなす一方、ヒンジの車体側固定部が車体に固定される。
【手続補正３】
【補正対象書類名】明細書
【補正対象項目名】０００４
【補正方法】変更
【補正の内容】
【０００４】
車室内におけるドア開口の周縁（例えば運転席のドア開口の前方スペース）は、様々な部材が配置されており、ドア取り付けのための十分なスペースを確保しにくい。特許文献１のドア取り付け構造では、そうしたドア開口の周縁にヒンジ（詳しくは、その車体側固定部）が配置されている。そのため、ドアを取り付けるべく同ドアと一体のヒンジを車体に固定する際には、その固定のための作業スペースを十分に確保するためにドアを開き操作した状態で、ヒンジを固定する作業（固定作業）が行われる。
【手続補正４】
【補正対象書類名】明細書
【補正対象項目名】０００８
【補正方法】変更
【補正の内容】
【０００８】
上記課題を解決するための車両のドア取り付け構造は、合成樹脂材料からなるドアパネル、および前記ドアパネルに固定されて車両の前後方向に延びるサイドビームを有して、車体の側部に設けられたドア開口を開閉するドアと、前記車体に一体の車体側固定部、および前記ドアに一体のドア側可動部を有するヒンジと、前記前後方向に延びて、一端が前記サイドビームの前記前後方向における中間部分に固定されるとともに他端が前記ヒンジの前記ドア側可動部に一体の態様で、前記サイドビームおよび前記ドア側可動部の間に介設されるアームとを備える。
【手続補正５】
【補正対象書類名】明細書
【補正対象項目名】００２２
【補正方法】変更
【補正の内容】
【００２２】
前記ドアヒンジ４０は２つ設けられている。それらドアヒンジ４０は、ドア開口１２よりも前方側の位置に、ドア開口１２における前方側の内縁に沿って上下方向に並ぶように配置されている。ドアヒンジ４０の一方の可動部（車体側固定部４１）は、上記ブラケット１４における車外側の面にボルト締結によって固定されて、車体１１およびフレーム１３と一体になっている。また、ドアヒンジ４０の他方の可動部（ドア側可動部４３）は、連結アーム３０を介して、ドア２０のアーム固定部２８に固定されている。
【手続補正６】
【補正対象書類名】明細書
【補正対象項目名】００２９
【補正方法】変更
【補正の内容】
【００２９】
本実施形態では、前後方向に延びるアーム部３５の後方部分３５Ｒ（具体的には、ドア固定部３７）がサイドビーム２２の前後方向における中間部分（具体的には、アーム固定部２８）に固定される。そのため、ブラケット１４、ドアヒンジ４０、および連結アーム３０を車体１１（詳しくは、フレーム１３）に取り付けた後に車両１０へのドア２０の取り付けを行うことにより、その取り付けにかかる作業（具体的には、連結アーム３０のドア固定部３７をサイドビーム２２のアーム固定部２８に固定する作業）を、ドア開口１２（図３）の内方部分、すなわちドア開口１２の内縁部分と比較して車室内における作業スペースの確保が比較的容易になる部分において行うことが可能になる。
【手続補正７】
【補正対象書類名】明細書
【補正対象項目名】００３２
【補正方法】変更
【補正の内容】
【００３２】
さらに本実施形態では、アーム部３５のパイプ３６の肉厚がサイドビーム２２のパイプ２３の肉厚よりも薄くなっている。これにより、車両１０の側方からの荷重に対する連結アーム３０の剛性が同荷重に対するサイドビーム２２の剛性よりも低くなるため、車両１０の側面衝突時において、連結アーム３０のアーム部３５がドア２０のサイドビーム２２よりも変形し易い構造になる。
【手続補正８】
【補正対象書類名】明細書
【補正対象項目名】００３４
【補正方法】変更
【補正の内容】
【００３４】
本実施形態によれば、以下に記載する効果が得られる。
（１）前後方向に延びるアーム部３５の後方部分３５Ｒ（具体的には、ドア固定部３７）をサイドビーム２２の前後方向における中間部分（具体的には、アーム固定部２８）に固定するようにしたため、車両１０へのドア２０の取り付けを容易に行うことができるようになる。
【手続補正９】
【補正対象書類名】明細書
【補正対象項目名】００３７
【補正方法】変更
【補正の内容】
【００３７】
（４）連結アーム３０のアーム部３５を前後方向に延びる２本のパイプ３６によって構成した。そのため、連結アーム３０の主要部分を、パイプ材に曲げ加工を施すといった安価な手法で形成することができる。
【手続補正１０】
【補正対象書類名】明細書
【補正対象項目名】００３９
【補正方法】変更
【補正の内容】
【００３９】
＜変形例＞
なお、上記実施形態は、以下のように変更して実施してもよい。
・ドア２０の重心にアーム固定部２８を配設するようにしてもよい。こうした構成によれば、連結アーム３０のドア固定部３７によってドア２０のアーム固定部２８をバランス良く支持させた状態で、ドア固定部３７をボルト締結によってアーム固定部２８に固定する作業を行うことができる。また、連結アーム３０にドア２０を固定した状態でその固定部分に作用する応力を好適に小さくすることができる。
【手続補正１１】
【補正対象書類名】明細書
【補正対象項目名】００４５
【補正方法】変更
【補正の内容】
【００４５】
１０…車両、１１…車体、１２…ドア開口、１３…フレーム、１４…ブラケット、２０…ドア、２１…ドアパネル、２２…サイドビーム、２３…パイプ、２４，２５…連結部、２６…ドアノブ固定部、２７…ドアハンドル、２８…アーム固定部、３０…連結アーム、３１…プレート部、３２…固定壁部、３３…側壁部、３５…アーム部、３５Ｆ…前方部分、３５Ｒ…後方部分、３６…パイプ、３７…ドア固定部、３８…ワイヤ固定部、３９…ワイヤ、４０…ドアヒンジ、４１…車体側固定部、４３…ドア側可動部。
【手続補正１２】
【補正対象書類名】図面
【補正対象項目名】図２
【補正方法】変更
【補正の内容】
【図２】
2018103683.tif 000008